(57)【要約】      （修正有）【課題】手摺部を上又は下に押すことにより手摺部を回動又は回動停止させて手摺部を段階的に回動させる場合に、手摺部のどこに力をかけても手摺部が固着されている筒部が滑らかに動くようにする。【解決手段】水平方向に突出した手摺部２が水平回動する水平回動型手摺１であって、水平回動の中心軸となる軸体４、軸体４の下端部を支持する軸体留具、軸体４の外側で水平回動可能かつ上下動可能に設けられた外筒部３、外筒部３に固着された手摺部２を有し、外筒部３と軸体４の間にリニアブッシュ１０ａ、１０ｂが設けられ、手摺部２を上又は下に押すことにより手摺部２が段階的に回動可能となる回動角の制御機構を有する。【選択図】図２
2019193807.tif 000002
【特許請求の範囲】
【請求項１】
水平方向に突出した手摺部が水平回動する水平回動型手摺であって、
水平回動の中心軸となる軸体、軸体の下端部を支持する軸体留具、
軸体の外側で水平回動可能かつ上下動可能に設けられた外筒部、外筒部に固着された手摺部を有し、
外筒部と軸体の間にリニアブッシュが設けられ、
手摺部を上又は下に押すことにより手摺部が段階的に回動可能となる回動角の制御機構を有する水平回動型手摺。
【発明の詳細な説明】
【技術分野】
【０００１】
本発明は、トイレ、浴室、洗面所等に設置される水平回動型手摺、並びにこれを用いたトイレ用手摺及びトイレユニットに関する。
【背景技術】
【０００２】
従来より、身体の不自由な高齢者、身障者等のために、トイレ、浴室、洗面所等に手摺が設けられている。
【０００３】
手摺には、種々のタイプのものがあるが、水平方向に突出した片持ち型の手摺部が水平回動する水平回動型手摺は、手摺を、便器が設置されているトイレ室の壁面に沿った位置で回動停止させた場合には、トイレに入室した者が便器に着座するまでの移動や、便器から起立した者がトイレの出入り口に向かうときの移動を助ける手摺として使用することができ、手摺を便器近傍で回動停止させた場合には、着座状態を安定化させたり、便器からの起立を助けたりする手摺として使用できるという利点を有している（特許文献１、特許文献２）。
【０００４】
水平回動型手摺では、一般に、片持ち型の手摺部の一端が固着された筒部に、水平回動の中心軸となる軸体が貫通しており、所定の回動角で回動を停止させるロック機構が設けられている。このロック機構として、手摺部を少し持ち上げることによりロック機構が解除されて手摺部が回動可能となり、持ち上げた手摺部を下ろすことにより、ロック機構が作用して手摺部が回動停止となるものがある。
【先行技術文献】
【特許文献】
【０００５】
【特許文献１】特開２００８−６７９５６
【特許文献２】特開２００５−２４５５００
【発明の概要】
【発明が解決しようとする課題】
【０００６】
しかしながら、水平回動型手摺において、手摺部を回動させ、あるいは回動停止させるために手摺部を上下させる力が手摺部の先端部近傍で加えられると、手摺部の根元の筒部に力が集中し、筒部と軸体の摺動性が低下し、筒部の滑らかな動きが損なわれるという問題がある。
【０００７】
これに対し、本発明は、手摺部を上又は下に押すことにより手摺部を回動又は回動停止させて手摺部を段階的に回動させる場合に、手摺部のどこに力をかけても手摺部が固着されている筒部が滑らかに動くようにすることを課題とする。
【課題を解決するための手段】
【０００８】
本発明者は水平可動型手摺において、水平回動の回動中心となる軸体に、手摺部の一端側が固着された外筒部を嵌め、手摺部を上又は下に動かして手摺部を回動又は回動停止させるにあたり、軸体と外筒部との間にリニアブッシュを介在させると、手摺部のどこに力をかけても外筒部が滑らかに動くことを見出し、本発明を想到した。
【０００９】
即ち、本発明は、水平方向に突出した手摺部が水平回動する水平回動型手摺であって、
水平回動の中心軸となる軸体、軸体の下端部を支持する軸体留具、
軸体の外側で水平回動可能かつ上下動可能に設けられた外筒部、外筒部に固着された手摺部を有し、
外筒部と軸体の間にリニアブッシュが設けられ、
手摺部を上又は下に押すことにより手摺部が段階的に回動可能となる回動角の制御機構を有する水平回動型手摺を提供する。
【００１０】
また、本発明は、一対の水平回動型手摺が、腰掛便器奥側から手前側に突出するように枠体に取り付けられた腰掛便器用手摺であって、水平回動型手摺として上述の水平回動型手摺が取り付けられている腰掛便器用手摺を提供する。
【発明の効果】
【００１１】
本発明の水平可動型手摺によれば、手摺部を上又は下に動かすことにより手摺部が段階的に回動可能となる。この場合、手摺部を上又は下に動かす力を手摺部のどこでかけても、手摺部が固着されている外筒部が滑らかに上下しかつ回動する。
【図面の簡単な説明】
【００１２】
【図１】図１は、実施例の水平回動型手摺の斜視図である。
【図２】図２は、実施例の水平回動型手摺の分解図である。
【図３】図３は、外筒側留具の斜視図（ａ）及び底面図（ｂ）である。
【図４】図４は、軸体留具の斜視図である。
【図５】図５は、水平回動型手摺を備えた腰掛便器用手摺の斜視図である。
【図６】図６は、水平回動型手摺を備えた腰掛便器用手摺における手摺の回動状態の説明図である。
【図７】図６は、水平回動型手摺を備えた腰掛便器用手摺における手摺の回動状態の説明図である。
【発明を実施するための形態】
【００１３】
以下、図面を参照しつつ本発明を具体的に説明する。なお、各図中、同一符号は同一又は同等の構成要素を表している。
【００１４】
図１は、本発明の一実施例の水平回動型手摺１の斜視図であり、図２は、その分解図である。
【００１５】
この水平回動型手摺１では、Ｕ字形パイプからなる片持ち型の手摺部２が水平方向に突出し、外筒部３に固着されている。外筒部３内には軸体４が通っており、手摺部２は軸体４を中心軸として水平回動すると共に軸体４に沿って上下動可能である。
なお、手摺部２には、必要に応じて肘置き部５が設けられる。
【００１６】
軸体４は、その下端部が歯車型の軸体留具６にボルト７で固定されており、上端部が上部留具８にボルト９で固定されている。なお、軸体４の内部には、過剰回転を防止して安全確保することを担う平行ピン（図示せず）が挿入されている。
【００１７】
外筒部３と軸体４との間には、一対のリニアブッシュ１０ａ、１０ｂがリニアブッシュスペーサー１１を挟んで設けられている。リニアブッシュ１０ａ、１０ｂは軸体４上を、軸体４の軸方向に直線的に摺動する筒状部材であり、軸体４の周りで回動しない構造となっている。リニアブッシュとしては、スライドブッシュ、スライドベアリング等を使用することが好ましく、例えば、ＴＨＫ株式会社製の製品名リニアブッシュを使用することができる。
【００１８】
リニアブッシュスペーサー１１は、外筒部３の内側両端部にリニアブッシュ１０ａ、１０ｂが位置するように、一対のリニアブッシュ１０ａ、１０ｂの間に設けられており、これにより、手摺部２に上下方向の力をかけたときの外筒部３の上下動を一層滑らかにすることができる。リニアブッシュスペーサー１１としては、外筒部３の内側両端部にリニアブッシュ１０ａ、１０ｂを配置できるものであればよく、例えば、金属製又は樹脂製の筒状部材を使用することができる。
【００１９】
なお、外筒部３と軸体４の間に設けるリニアブッシュの個数は上述の例に限られず、外筒部３と軸体４の長さに応じて適宜選択することができる。
【００２０】
リニアブッシュ１０ａ、１０ｂと外筒部３との間には、がたつき防止のため、リニアブッシュカバー１２ａ、１２ｂが設けられている。リニアブッシュカバー１２ａ、１２ｂとしては、リニアブッシュ１０ａ、１０ｂや外筒部３と固定せずにこれらの間に配置できる金属製又は樹脂製の筒状体を使用することができる。
【００２１】
また、リニアブッシュ１０ａ、１０ｂと外筒部３との間であって、リニアブッシュカバー１２ｂの上方には、過剰回転を防止して安全確保することを担う回転受け材１３が設けられている。
【００２２】
リニアブッシュ１０ａ、１０ｂと外筒部３との間であって、外筒部３の下端部には、軸体留具６と嵌合する外筒側留具１４が外筒部３の内壁に固定されている。この軸体留具６と外筒側留具１４は、互いの嵌合により手摺部２の回動角を段階的に固定するもので、手摺部２の回動角の制御機構を構成している。
【００２３】
軸体留具６としては、例えば、図４に示す歯車型の留具を使用することができ、外筒側留具１４としては、例えば図３に示す歯車型の留具を使用することができる。軸体留具６と外筒側留具１４として歯車型の留具を使用することにより、これらの噛み合う面を多くすることができるので、外筒部３のがたつきを最小限に抑えることができる。
【００２４】
図示した一対の歯車型の留具６、１４では、歯車の歯が４５°ピッチで形成されているため、手摺部２の回動角θを４５°ずつ回動させることができる。したがって、例えば、トイレ室の腰掛便器に対して本発明の水平回動型手摺を設置する場合に、例えば、図５に示すように、腰掛便器３０に着座した者の背がトイレ室のコーナー部３１に向くように腰掛便器３０が設けられており、その腰掛便器３０の両側に本発明の水平回動型手摺１を、腰掛便器奥側から手前側に突出するように枠体１５に取り付けるときに、手摺部２を、腰掛便器３０の奥行き方向に延びた位置（実線で図示した位置、回動角θ＝０°）と、トイレ室のコーナー部３１から延びる壁面３２に沿った位置（破線で示した位置、回動角θ＝４５°）の２段階で回動固定させることが可能である。
【００２５】
なお、本発明は、このように枠体１５に水平回動型手摺１が取り付けられ、腰掛便器に対して設置される腰掛便器用手摺２０を包含する。腰掛便器用手摺２０には、必要に応じて背もたれ１６を設けても良い。
【００２６】
本実施例の水平回動型手摺１の使用方法としては、手摺部２を上に押すことにより軸体留具６と外筒側留具１４との嵌合が外れ、手摺部２は軸体４を中心軸として水平回動が可能となる。この状態で手摺部２に水平方向に力をかけると、手摺部２は回動が固定される次の回動角まで滑らかに回動する。回動が固定される次の回動角になると、手摺部２の自重により手摺部２が下がり、軸体留具６と外筒側留具１４が嵌合し、回動角が停止する。この場合、手摺部２を上方に動かすことによって手摺部２が固着されている外筒部３の摺動性が損なわれることはない。
【００２７】
本発明の回動型手摺は種々の態様をとることができる。例えば、上述の実施例の水平回動型手摺１において、固定する回動角は、軸体留具６と外筒側留具１４の歯車の歯のピッチを変えることにより適宜設定することができ、固定する段数も適宜設定することができる。例えば、手摺部２が回動角０°から１５°ずつ９０°まで７段階で固定されるようにしてもよい。手摺部２の使いやすさの点からは、手摺部２の回動角を０°〜４５°の２段階に固定できるようにすることが好ましい。
【００２８】
また、本発明において、手摺部２を段階的に回動可能とする手摺部の回動角の制御機構としては、外筒部３を上方に付勢する弾性部材を使用して手摺部２を自然回動可能とし、手摺部２を上又は下に押すことにより弾性部材の作用が解除されて外筒部３が自然落下し、軸体留具６と外筒側留具１４が嵌合して回動停止し、再度手摺部２を上又は下に押すことにより弾性部材が作用して手摺部２が回動可能となるようにしてもよい。
【００２９】
本発明の水平回動型手摺１は図５に示したように、腰掛便器用手摺２０に使用することができる。図５に示したように、トイレ室のコーナー部３１に設置した腰掛便器３０用に枠体１５を構成した場合に、図６に示したように、手摺部２が、少なくとも腰掛便器３０の奥行き方向に延びた位置（実線で図示した位置、回動角θ＝０°）と、トイレ室のコーナー部３１から延びる壁面３２に沿った位置（破線で示した位置、回動角θ＝４５°）で回動が停止するようにすると、回動角θ＝０°で手摺部２を腰掛便器３０での着座又は起立時に使用する手摺として使用でき、回動角θ＝４５°で手摺部２をトイレ室の入り口と腰掛便器３０との間の移動時に使用する手摺として使用できる。このとき、水平回動型手摺１の使用者が被介護者であっても容易に手摺部２の回動角を容易に滑らかに変えることができる。
【００３０】
本発明の腰掛便器用手摺２０は、トイレ室のコーナー部３１に設置する場合に限られず、図７に示したように、平らな壁面３２の前面に設置した腰掛便器３０に対して取り付けても良い。
また、本発明の水平回動型手摺１は、浴室、洗面所等の手摺として使用してもよい。
【符号の説明】
【００３１】
１  水平回動型手摺
２  手摺部
３  外筒部
４  軸体
５  肘置き部５
６  軸体留具
７  ボルト
８  上部留具
９  ボルト
１０ａ、１０ｂ  リニアブッシュ
１１  リニアブッシュスペーサー
１２ａ、１２ｂ  リニアブッシュカバー
１３  回転受け材
１４  外筒側留具
１５  枠体
１６  背もたれ
２０  腰掛便器用手摺
３０  腰掛便器
３１  トイレ室のコーナー部
３２  壁面
【図１】
2019193807.tif 000003
【図２】
2019193807.tif 000004
【図３】
2019193807.tif 000005
【図４】
2019193807.tif 000006
【図５】
2019193807.tif 000007
【図６】
2019193807.tif 000008
【図７】
2019193807.tif 000009